(57)【要約】【課題】  洗面所やトイレ等の狭い空間を暖房する壁掛け構造の電気温風機において、壁掛時における水平度設置の確保と、温風の吹き出す方向を左右方向に可変できるようにして効率よく快適に暖房できる温風暖房機を提供する。【解決手段】  本体ケース１と、この本体ケース１内に設けられた発熱体２と、この発熱体２による熱を本体ケース１外に温風として送風するための羽根付電動機３とを備えた電気温風機において、本体ケース１の背面に縦型に設けられた壁掛け穴５を略同一線上の縦方向に少なくとも２個以上設けた。【選択図】  図１
2005121312.tif 000002
【特許請求の範囲】
【請求項１】
本体ケース（１）と、この本体ケース（１）内に設けられた発熱体（２）と、この発熱体（２）による熱を本体ケース（１）外に温風として送風するための羽根付電動機（３）とを備えた電気温風機において、本体ケース（１）の背面に縦型に設けられた壁掛け穴（５）を略同一線上の縦方向に少なくとも２個以上設けたことを特徴とする電気温風機。
【請求項２】
本体ケース（１）の背面を縦方向に連なる凸状曲面の形状と成し、その曲面の頂点部に壁掛け穴（５）を設けたことを特徴とする請求項１記載の電気温風機。
【発明の詳細な説明】
【技術分野】
【０００１】
本発明は、洗面所やトイレ等の狭い空間を暖房する電気温風機に関し、特に壁掛け可能とした電気温風機に関するものである。
【背景技術】
【０００２】
従来のこの種の電気温風機は、本体ケース内部に収納した送風部および発熱体と、本体ケースの前面に配した吸い込み口および温風吹き出口とを有し、本体ケースの平面状の両側面はその開き角度を９０度とするとともに、本体ケースの背面を平面としていて、トイレ等の狭い空間で使用する場合、トイレ内のコーナに本体ケースの両側面を密着させて設置することができ、設置面積を増やさず狭い空間を有効に利用することができるものであった（例えば、特許文献１参照）。
【０００３】
また、和式や洋式等のトイレに合わせて、最も快適に使用できる位置を選んで壁掛けして使用できるようにした図４〜図６に示す構造のものがある。すなわち、本体ケース１内に設けられた発熱体２と、この発熱体２から発せられる熱を外部に温風として送風させるための羽根付電動機３と、前記発熱体２及び、羽根付電動機３へ電力を供給するための電源コード４とを有し、本体ケース１の背面には、平面状の突起部６が設けられていて、この突起部６には左右水平に２ヶの壁掛け穴５が設けられている。
【０００４】
そして、このような温風暖房機を壁掛けして使用する場合は、図４、図６に示すように、平面状の壁７にＬ型ヒートン８を左右水平に取り付け、Ｌ型ヒートン８を前記電気温風機の壁掛け穴５に引っ掛けるように挿入し、電気温風機を壁掛けして使用する。
【０００５】
【特許文献１】特開平５−３４０１１号公報
【発明の開示】
【発明が解決しようとする課題】
【０００６】
しかしながら、上記の従来技術において、前者のものは、トイレ内のコーナ部の床面に置いてデッドスペースを生じにくく設置できるが、和式や洋式等のトイレに合わせて使用者の居る方向に最も効率よく快適に暖房しようとすると、コーナ部の床面に置くだけでは温風の吹き出る方向を必ずしも使用者に向けることができるとはかぎらず、そのため暖房効果や使用感が劣るという問題があった。
【０００７】
後者のものは、Ｌ型ヒートンを壁に取り付け、このＬ型ヒートンに電気温風機を壁掛け可能とし使用者の居る方向に最も効率よく暖房できる位置に設置することができるようにしているが、Ｌ型ヒートンの設置位置が左右水平方向の２ヶ所のため、設置するＬ型ヒートンの長さによっては図４に示すように電気温風機が前傾状態で設置される場合があり、このように機体が斜めになった前傾状態では、本来、水平で使用されることを想定している羽根付電動機が斜めの状態で通電されることになり、部品故障や、寿命時間が短くなるといった問題があった。
【０００８】
また、Ｌ型ヒートンが左右水平方向の２ヶ所設置のため、１度、Ｌ型ヒートンを壁に取り付けて電気温風機を壁掛けして使用した場合、電気温風機を左右方向に向きを変えることが出来なかった。このため、温風の当り方（採暖方向）に不満があっても、簡単に左右方向に移動できず、再度、Ｌ型ヒートンを壁に取り付け直すなどといった手間がかかるものであった。
【課題を解決するための手段】
【０００９】
本発明は上記課題を解決するためになされたものであり、請求項１では、本体ケースと、この本体ケース内に設けられた発熱体と、この発熱体による熱を本体ケース外に温風として送風するための羽根付電動機とを備えた電気温風機において、本体ケースの背面に縦型に設けられた壁掛け穴を略同一線上の縦方向に少なくとも２個以上設けたものである。
【００１０】
また、請求項２では、本体ケースの背面を縦方向に連なる凸状曲面の形状と成し、その曲面の頂点部に壁掛け穴を設けたものである。
【発明の効果】
【００１１】
本発明の請求項１では、本体ケースと、この本体ケース内に設けられた発熱体と、この発熱体による熱を本体ケース外に温風として送風するための羽根付電動機とを備えた電気温風機において、本体ケースの背面に縦型に設けられた壁掛け穴を略同一線上の縦方向に少なくとも２個以上設けたことにより、和式や洋式等のトイレに合わせ、使用者の居る方向に最も効率よく温風が当たる位置を選んで、壁面に垂直方向で上下２箇所に取り付けたＬ型ヒートンに本体ケース背面の上下２箇所の壁掛け穴に引っ掛けて設置することができ、効率よく快適に暖房することができる。
【００１２】
また、略同一線上の縦方向に壁掛け穴を設けたことにより、電気温風機が前傾したり、斜めにならず、床に置いた時と同じように電気温風機の水平度を保持できるようになり、これによって、前傾時など電気温風機が傾いたまま使用した時に発生していたような羽根付電動機の寿命時間低下などのような異常の恐れを無くすことができる。
【００１３】
また、請求項２では、本体ケースの背面を縦方向に連なる凸状曲面の形状と成し、その曲面の頂点部に壁掛け穴を設けたことにより、壁面に垂直方向で上下２箇所に取り付けたＬ型ヒートンに本体ケース背面の上下２箇所の壁掛け穴に引っ掛けて設置すれば、壁掛け穴を支点にして、電気温風機の向きを左右に変えることが出来るようになり、温風の当り方（採暖方向）が悪くても、電気温風機の向きを左右方向を変えることで対応でき、Ｌ型ヒートンを付け直すなどといった手間を省くことができる。
【発明を実施するための最良の形態】
【００１４】
以下、本発明の一実施例を図１〜図３を参照して説明する。
【００１５】
図１は本発明の一実施例を示す電気温風機の壁掛け状態の縦断面図、図２は同じく背面斜視図、図３は同じく壁掛け状態を示す平面図である。
【００１６】
図において、１は樹脂製の本体ケースであり、内部に発熱体２を備えている。発熱体２の下部には、発熱体２から発生する熱を本体ケース１の外部に温風として送風させるための羽根付電動機３が設置されている。
【００１７】
４は電源コードで、発熱体２及び、羽根付電動機３に電力を供給するもので本体ケース１に直付けされている。
【００１８】
５は壁掛け穴で、本体ケース１の背面の縦方向に連なる凸状曲面の頂点部の略同一線上の縦方向の２箇所に設けられていて、それぞれ縦型に開けられている。
【００１９】
本発明は以上の構成より成り、次にその作用を説明する。
壁７に垂直に上下２箇所にＬ型ヒートン８を本体ケース１の壁掛け穴５と同じピッチで取り付け、電気温風機背面の壁掛け穴５をＬ型ヒートン８に引っ掛けて設置すれば、上下２ヶ所を支点にしていることで電気温風機が前傾したり、斜めにならず、床に置いた時と同じように機体の水平度を保持できるようになり、これによって、前傾時など機体が傾いたまま使用した時に発生していた羽根付電動機３の部品故障や寿命時間が短くなるといった問題を無くすことができる。
【００２０】
そして、このように壁掛けが可能であるため、和式や洋式等のトイレに設置する場合、使用者の居る方向に最も効率よく温風が当たる位置を選んで設置することができるため効率よく快適に暖房することができる。
【００２１】
また、本体ケース１の背面が縦方向に連なる凸状曲面の形状であるため、その凸状曲面の頂点部の略同一線上の縦方向に設けた２箇所の壁掛け穴５をＬ型ヒートンに引っ掛けて取り付けることにより、壁掛け穴５を支点にして、電気温風機の方向を左右に変えることが出来るようになり、温風の当り方（採暖方向）が悪くても、電気温風機の左右方向を変えることで対応でき、Ｌ型ヒートンを付け直すなどといった手間を省くことができる。
【図面の簡単な説明】
【００２２】
【図１】本発明の一実施例を示す電気温風機の壁掛け状態の縦断面図である。
【図２】同じく背面斜視図である。
【図３】同じく壁掛け状態を示す平面図である。
【図４】従来例を示す電気温風機の壁掛け状態の縦断面図である。
【図５】同じく背面斜視図である。
【図６】同じく壁掛け状態を示す平面図である。
【符号の説明】
【００２３】
１  本体ケース
２  発熱体
３  羽根付電動機
５  壁掛け穴
【図１】
2005121312.tif 000003
【図２】
2005121312.tif 000004
【図３】
2005121312.tif 000005
【図４】
2005121312.tif 000006
【図５】
2005121312.tif 000007
【図６】
2005121312.tif 000008